(57)【要約】【課題】従来の音楽データ記録再生装置は、リッピングする際の加工／圧縮処理のために高性能なプロセッサが必要であり、また、圧縮データが記録されるので音質の劣化が生じていた。また、デジタル音楽データをコピーしているので、ＳＣＭＳに従う２次利用が難しかった。【解決手段】音楽データ記録再生装置１において、非圧縮音楽データ記録領域Ａｏと圧縮音楽データ記録領域Ａｃとを有する記録手段４と、領域Ａｏのデジタル音楽データを呼び出し、圧縮手段２０で圧縮された音楽データを領域Ａｃに記録するＨＤＤ信号処理手段１８と、領域Ａｏから呼び出されたデジタル音楽データをアナログ信号に変換するＤＡコンバータ８と、ＤＡコンバータ８のアナログ信号出力をデジタル信号に変換するＡＤコンバータ１３と、ＡＤコンバータ１３のデジタル信号出力を複数の異なる圧縮方式で圧縮する圧縮手段２０とを備える。圧縮処理は空き時間に実行する。【選択図】図１
2007133955.tif 000002
【特許請求の範囲】
【請求項１】
音楽データを記録、再生することのできる音楽データ記録再生装置において、
デジタル音楽データが非圧縮状態で記録される非圧縮音楽データ記録領域と、
該非圧縮音楽データ記録領域に記録されたデジタル音楽データを基に圧縮したデジタル音楽データが作成されて記録される圧縮音楽データ記録領域と、
を有する記録手段を備えたことを特徴とする音楽データ記録再生装置。
【請求項２】
ＣＤプレイヤーから再生したデジタル信号をＰＣＭデータのデジタル音楽データとして出力するＣＤ信号処理部を備え、該ＣＤ信号処理部から出力されるデジタル音楽データを前記記録手段の非圧縮音楽データ記録領域に記録する第１信号処理手段を備えたことを特徴とする請求項１に記載の音楽データ記録再生装置。
【請求項３】
前記ＣＤ信号処理部から出力されるデジタル音楽データを入力してアナログ信号に変換する第１ＤＡコンバータと、
前記第１ＤＡコンバータの出力を音質調整部、音量調整部、信号調整部を通してスピーカから音声として出力することを特徴とする請求項２に記載の音楽データ記録再生装置。
【請求項４】
ＭＤプレイヤーからのアナログ音楽データ、ＡＭ／ＦＭチューナーからのアナログ音楽データ、外部から入力されるアナログ音楽データのいずれかをデジタル音楽データに変換して出力する第１ＡＤコンバータと、
前記第１ＡＤコンバータから出力されるデジタル音楽データを前記記録手段の非圧縮音楽データ記録領域に記録する第２信号処理手段を備えたことを特徴とする請求項１に記載の音楽データ記録再生装置。
【請求項５】
外部から入力されたデジタル音楽データを前記記録手段の非圧縮音楽データ記録領域に記録する第３信号処理手段を備えたことを特徴とする請求項１に記載の音楽データ記録再生装置。
【請求項６】
前記記録手段の非圧縮音楽データ記録領域に非圧縮状態で記録されたデジタル音楽データを呼び出す第４信号処理手段と、
前記第４信号処理手段で呼び出されたデジタル音楽データをアナログ信号に変換して出力する第２ＤＡコンバータと、
前記第２ＤＡコンバータから出力されるアナログ信号をデジタル信号に変換して出力する第２ＡＤコンバータと、
前記第２ＡＤコンバータから出力されるデジタル信号を複数の異なる圧縮方式で圧縮する圧縮手段と、
前記圧縮手段で圧縮されたデジタル信号を前記圧縮音楽データ記録領域に記録する第５信号処理手段を備えたことを特徴とする請求項１乃至請求項５のいずれか一項に記載の音楽データ記録再生装置。
【請求項７】
前記第２ＤＡコンバータの出力を音質調整部、音量調整部、信号調整部を通してスピーカから音声として出力することを特徴とする請求項１乃至請求項６のいずれか一項に記載の音楽データ記録再生装置。
【請求項８】
前記圧縮音楽データ記録領域に圧縮して記録されたデジタル音楽データを、外部機器接続インターフェースを介して出力する第６信号処理手段を備えたことを特徴とする請求項１乃至請求項７のいずれか一項に記載の音楽データ記録再生装置。
【請求項９】
前記記録手段はハードデスクであることを特徴とする請求項１乃至請求項８のいずれか一項に記載の音楽データ記録再生装置。
【請求項１０】
前記記録手段は半導体メモリであることを特徴とする請求項１乃至請求項８のいずれか一項に記載の音楽データ記録再生装置。
【請求項１１】
前記記録手段は、読み書き可能な光、又は磁気による記録手段であることを特徴とする請求項１乃至請求項８のいずれか一項に記載の音楽データ記録再生装置。
【請求項１２】
音楽データを記録、再生することのできる音楽データ記録再生装置において、
前記音楽データの非圧縮音楽データが記録される非圧縮音楽データ記録領域と該非圧縮音楽データに対応する圧縮音楽データが記録される圧縮音楽データ記録領域とを有する記録手段と、
音楽データ再生部から再生した信号を処理してＰＣＭ音楽データとして出力する信号処理部と、
前記ＰＣＭ音楽データを前記記録手段の非圧縮音楽データ記録領域に非圧縮状態で前記非圧縮音楽データとして記録する信号記録処理手段と、
前記非圧縮音楽データ記録領域に記録された前記非圧縮音楽データを基に前記圧縮音楽データを作成して前記圧縮音楽データ記録領域に記録する圧縮音楽データ記録手段と、
前記非圧縮音楽データ記録領域に記録された前記非圧縮音楽データをアナログ信号に変換して音声として再生する音声再生部と、
前記圧縮音楽データ記録領域に記録された前記圧縮音楽データを外部に転送する外部機器接続インターフェースを備えたことを特徴とする音楽データ記録再生装置。
【請求項１３】
音楽データを記録、再生することのできる音楽データ記録再生装置の音楽データ記録再生方法において、
デジタル音楽データを非圧縮状態で内部記録手段に記録し、
該非圧縮状態で記録されたデジタル音楽データに対応する圧縮したデジタル音楽データを作成して前記非圧縮状態で記録されたデジタル音楽データと共に前記内部記録手段に記録し、
前記非圧縮状態で記録されたデジタル音楽データを音声として再生することを特徴とする音楽データ記録再生方法。
【請求項１４】
ＣＤから再生して信号処理したＰＣＭデータのデジタル音楽データを、前記内部記録手段に非圧縮状態のデジタル音楽データとして記録し、該非圧縮状態で記録されたデジタル音楽データを基に圧縮したデジタル音楽データを作成して前記内部記録手段に記録することを特徴とする請求項１３に記載の音楽データ記録再生方法。
【請求項１５】
ＣＤから再生して信号処理したＰＣＭデータのデジタル音楽データを入力してアナログ信号に変換し、
該アナログ信号を音質調整部、音量調整部、信号調整部を通してスピーカから音声として出力することを特徴とする請求項１４に記載の音楽データ記録再生方法。
【請求項１６】
ＭＤプレイヤーからのアナログ音楽データ、ＡＭ／ＦＭチューナーからのアナログ音楽データ、外部から入力されるアナログ音楽データのいずれかをデジタル音楽データに変換し、
該デジタル音楽データを前記内部記録手段に前記非圧縮状態のデジタル音楽データとして記録することを特徴とする請求項１３に記載の音楽データ記録再生方法。
【請求項１７】
外部から入力されたデジタル音楽データを前記内部記録手段に前記非圧縮状態のデジタル音楽データとして記録することを特徴とする請求項１３に記載の音楽データ記録再生方法。
【請求項１８】
前記内部記録手段に記録された非圧縮状態のデジタル音楽データを呼び出し、
該呼び出された非圧縮状態のデジタル音楽データをアナログ信号に変換し、
該変換されたアナログ信号をデジタル信号に再変換し、
該再変換されたデジタル信号を所望の圧縮方式で圧縮し、
該所望の圧縮方式で圧縮されたデジタル信号を前記内部記録手段に記録することを特徴とする請求項１３乃至請求項１７のいずれか一項に記載の音楽データ記録再生方法。
【請求項１９】
前記内部記録手段に記録された非圧縮状態の前記デジタル音楽データを呼び出し、
該呼び出されたデジタル音楽データをアナログ信号に変換し、
該変換されたアナログ信号を音質調整部、音量調整部、信号調整部を通してスピーカから音声として出力することを特徴とする請求項１３乃至請求項１８のいずれか一項に記載の音楽データ記録再生方法。
【請求項２０】
前記内部記録手段に圧縮して記録されたデジタル音楽データを外部オーディオ機器に転送することを特徴とする請求項１３乃至請求項１９のいずれか一項に記載の音楽データ記録再生方法。
【請求項２１】
前記非圧縮状態で記録されたデジタル音楽データから前記圧縮したデジタル音楽データを作成するタイミングは、システムマイコンの処理負荷が軽くなった空き時間としたことを特徴とする請求項１３乃至請求項２０のいずれか一項に記載の音楽データ記録再生方法。
【請求項２２】
前記非圧縮状態で記録されたデジタル音楽データから前記圧縮したデジタル音楽データを作成する開始タイミングは、タイマーで設定されることを特徴とする請求項２１に記載の音楽データ記録再生方法。
【請求項２３】
前記デジタル音楽データが圧縮状態の音楽データである場合には、該圧縮状態の音楽データを伸長処理してから前記内部記録手段に記録することを特徴とする請求項１３乃至請求項２２のいずれか一項に記載の音楽データ記録再生方法。
【請求項２４】
音楽データを記録、再生することのできる音楽データ記録再生装置の音楽データ記録再生方法において、
音楽データ再生部から再生した信号を処理してＰＣＭ音楽データとして出力する工程と、
前記ＰＣＭ音楽データを前記記録手段の非圧縮音楽データ記録領域に非圧縮状態で記録する工程と、
前記非圧縮音楽データ記録領域に非圧縮状態で記録された前記ＰＣＭ音楽データを基に圧縮した音楽データを作成して前記圧縮音楽データ記録領域に記録する工程と、
前記非圧縮音楽データ記録領域に記録された前記ＰＣＭ音楽データをアナログ信号に変換して音声として再生する工程と、
前記圧縮音楽データ記録領域に圧縮して記録された音楽データを外部に転送する工程を備えたことを特徴とする音楽データ記録再生方法。
【発明の詳細な説明】
【技術分野】
【０００１】
本発明は、音楽データ記録再生装置、及びその音楽データ記録再生方法に係り、特にＣＤ（コンパクトデスク）、ＭＤ（ミニデスク）、ＡＭ／ＦＭチューナーなどの音楽再生手段で再生した音楽データを、非圧縮データ及び圧縮データとして内部記録装置に記録して利用することにより、高品質な音楽再生が行えると共に外部機器へ任意の圧縮方式で圧縮した圧縮データを高速に転送することができる音楽データ記録再生装置、及びその音楽データ記録再生方法に関する。
【背景技術】
【０００２】
現在、音楽を楽しむための多くのオーディオ機器が市販され、ユーザは各種メディアに記録された音楽データを再生し、或いは通信網を介して音楽データをダウンロードして再生することができるようになっている。また、ＣＤ、ＭＤなどの音楽データ記録メディアや、インターネットを介してダウンロードした音楽データを一旦ユーザ所有のオーディオ機器の内部記録装置に記録させ、該記録した音楽データを内部記録装置から好きなタイミングで読み出して音楽を楽しんだり、音楽再生携帯端末装置などに転送記録して、屋外で音楽を楽しんだりすることができるようになった。この場合、一旦内部記録装置に記録させれば、元の音楽データ記録メディアなどからフリーの状態になり、また、多量に記録した音楽データを編集し、ジャンル別に分類したり再生順序の編集なども自由に行えるなど便利な使い方ができる。
【０００３】
このような音楽データ記録再生装置の従来技術として、特開２００４−４６９５９号公報に開示されたものがある。
この従来技術は、ＣＤ等の可搬性記録媒体からリッピングされたデジタル音楽データや、外部サーバ等との通信によりダウンロードされたデジタル音楽データが、音量、音質が加工された上で圧縮データ状態で内部のハードデスク（以下ＨＤＤという）に記録される。このＨＤＤに記録された音楽データは、ユーザの好みの時間に伸長されて再生される。またＨＤＤに記録されたデータは、他の記録媒体（二次記録媒体）に記録し、その二次記録媒体側で音楽等の再生を楽しむことができる。
【特許文献１】特開２００４−４６９５９号公報
【発明の開示】
【発明が解決しようとする課題】
【０００４】
しかしながら、上記従来技術の音楽データ記録再生装置は、ＣＤ等の可搬性記録媒体からリッピングする際に、音量、音質の加工処理を行う上にデータの圧縮処理を行うので、この処理のために処理能力の高いプロセッサを使用する必用がある。このため、従来技術の音楽データ記録再生装置は高性能なプロセッサを使用しておりシステムが高価になっていた。
【０００５】
また、上記従来技術の音楽データ記録再生装置は、音楽データを最終的に圧縮データとしてＨＤＤに記録されることになるので、元の高音質を再現することができず音質の劣化が生じていた。
【０００６】
また、上記従来技術の音楽データ記録再生装置は、デジタル音楽データをコピーしているので、ＳＣＭＳ（Serial Copy Management System：音楽ソフトの著作権を保護するコピー規制）に従うと、リッピングしたデジタル音楽データを他の機器にコピーして再生するなどの２次利用が難しい問題がある。
【０００７】
本発明の目的は、上記問題点に鑑み、ＣＤ等の可搬性記録媒体からリッピングする際に高速処理する必要がないようにして高性能なプロセッサの必要をなくし、また、元の高音質を容易に再現することができ、また、ＳＣＭＳに従った２次利用の仕方ができる音楽データ記録再生装置を提供することにある。
【課題を解決するための手段】
【０００８】
本発明の請求項１に係る発明の要旨は、音楽データを記録、再生することのできる音楽データ記録再生装置において、デジタル音楽データが非圧縮状態で記録される非圧縮音楽データ記録領域と、該非圧縮音楽データ記録領域に記録されたデジタル音楽データを基に圧縮したデジタル音楽データが作成されて記録される圧縮音楽データ記録領域と、を有する記録手段を備えたことを特徴とする音楽データ記録再生装置に存する。
また、本発明の請求項２に係る発明の要旨は、ＣＤプレイヤーから再生したデジタル信号をＰＣＭデータのデジタル音楽データとして出力するＣＤ信号処理部を備え、該ＣＤ信号処理部から出力されるデジタル音楽データを前記記録手段の非圧縮音楽データ記録領域に記録する第１信号処理手段を備えたことを特徴とする請求項１に記載の音楽データ記録再生装置に存する。
また、本発明の請求項３に係る発明の要旨は、前記ＣＤ信号処理部から出力されるデジタル音楽データを入力してアナログ信号に変換する第１ＤＡコンバータと、前記第１ＤＡコンバータの出力を音質調整部、音量調整部、信号調整部を通してスピーカから音声として出力することを特徴とする請求項２に記載の音楽データ記録再生装置に存する。
また、本発明の請求項４に係る発明の要旨は、ＭＤプレイヤーからのアナログ音楽データ、ＡＭ／ＦＭチューナーからのアナログ音楽データ、外部から入力されるアナログ音楽データのいずれかをデジタル音楽データに変換して出力する第１ＡＤコンバータと、前記第１ＡＤコンバータから出力されるデジタル音楽データを前記記録手段の非圧縮音楽データ記録領域に記録する第２信号処理手段を備えたことを特徴とする請求項１に記載の音楽データ記録再生装置に存する。
また、本発明の請求項５に係る発明の要旨は、外部から入力されたデジタル音楽データを前記記録手段の非圧縮音楽データ記録領域に記録する第３信号処理手段を備えたことを特徴とする請求項１に記載の音楽データ記録再生装置に存する。
また、本発明の請求項６に係る発明の要旨は、前記記録手段の非圧縮音楽データ記録領域に非圧縮状態で記録されたデジタル音楽データを呼び出す第４信号処理手段と、前記第４信号処理手段で呼び出されたデジタル音楽データをアナログ信号に変換して出力する第２ＤＡコンバータと、前記第２ＤＡコンバータから出力されるアナログ信号をデジタル信号に変換して出力する第２ＡＤコンバータと、前記第２ＡＤコンバータから出力されるデジタル信号を複数の異なる圧縮方式で圧縮する圧縮手段と、前記圧縮手段で圧縮されたデジタル信号を前記圧縮音楽データ記録領域に記録する第５信号処理手段を備えたことを特徴とする請求項１乃至請求項５のいずれか一項に記載の音楽データ記録再生装置に存する。
また、本発明の請求項７に係る発明の要旨は、前記第２ＤＡコンバータの出力を音質調整部、音量調整部、信号調整部を通してスピーカから音声として出力することを特徴とする請求項１乃至請求項６のいずれか一項に記載の音楽データ記録再生装置に存する。
また、本発明の請求項８に係る発明の要旨は、前記圧縮音楽データ記録領域に圧縮して記録されたデジタル音楽データを、外部機器接続インターフェースを介して出力する第６信号処理手段を備えたことを特徴とする請求項１乃至請求項７のいずれか一項に記載の音楽データ記録再生装置に存する。
また、本発明の請求項９に係る発明の要旨は、前記記録手段はハードデスクであることを特徴とする請求項１乃至請求項８のいずれか一項に記載の音楽データ記録再生装置に存する。
また、本発明の請求項１０に係る発明の要旨は、前記記録手段は半導体メモリであることを特徴とする請求項１乃至請求項８のいずれか一項に記載の音楽データ記録再生装置に存する。
また、本発明の請求項１１に係る発明の要旨は、前記記録手段は、読み書き可能な光、又は磁気による記録手段であることを特徴とする請求項１乃至請求項８のいずれか一項に記載の音楽データ記録再生装置に存する。
また、本発明の請求項１２に係る発明の要旨は、音楽データを記録、再生することのできる音楽データ記録再生装置において、前記音楽データの非圧縮音楽データが記録される非圧縮音楽データ記録領域と該非圧縮音楽データに対応する圧縮音楽データが記録される圧縮音楽データ記録領域とを有する記録手段と、音楽データ再生部から再生した信号を処理してＰＣＭ音楽データとして出力する信号処理部と、前記ＰＣＭ音楽データを前記記録手段の非圧縮音楽データ記録領域に非圧縮状態で前記非圧縮音楽データとして記録する信号記録処理手段と、前記非圧縮音楽データ記録領域に記録された前記非圧縮音楽データを基に前記圧縮音楽データを作成して前記圧縮音楽データ記録領域に記録する圧縮音楽データ記録手段と、前記非圧縮音楽データ記録領域に記録された前記非圧縮音楽データをアナログ信号に変換して音声として再生する音声再生部と、前記圧縮音楽データ記録領域に記録された前記圧縮音楽データを外部に転送する外部機器接続インターフェースを備えたことを特徴とする音楽データ記録再生装置に存する。
また、本発明の請求項１３に係る発明の要旨は、音楽データを記録、再生することのできる音楽データ記録再生装置の音楽データ記録再生方法において、デジタル音楽データを非圧縮状態で内部記録手段に記録し、該非圧縮状態で記録されたデジタル音楽データに対応する圧縮したデジタル音楽データを作成して前記非圧縮状態で記録されたデジタル音楽データと共に前記内部記録手段に記録し、前記非圧縮状態で記録されたデジタル音楽データを音声として再生することを特徴とする音楽データ記録再生方法に存する。
また、本発明の請求項１４に係る発明の要旨は、ＣＤから再生して信号処理したＰＣＭデータのデジタル音楽データを、前記内部記録手段に非圧縮状態のデジタル音楽データとして記録し、該非圧縮状態で記録されたデジタル音楽データを基に圧縮したデジタル音楽データを作成して前記内部記録手段に記録することを特徴とする請求項１３に記載の音楽データ記録再生方法に存する。
また、本発明の請求項１５に係る発明の要旨は、ＣＤから再生して信号処理したＰＣＭデータのデジタル音楽データを入力してアナログ信号に変換し、該アナログ信号を音質調整部、音量調整部、信号調整部を通してスピーカから音声として出力することを特徴とする請求項１４に記載の音楽データ記録再生方法に存する。
また、本発明の請求項１６に係る発明の要旨は、ＭＤプレイヤーからのアナログ音楽データ、ＡＭ／ＦＭチューナーからのアナログ音楽データ、外部から入力されるアナログ音楽データのいずれかをデジタル音楽データに変換し、該デジタル音楽データを前記内部記録手段に前記非圧縮状態のデジタル音楽データとして記録することを特徴とする請求項１３に記載の音楽データ記録再生方法に存する。
また、本発明の請求項１７に係る発明の要旨は、外部から入力されたデジタル音楽データを前記内部記録手段に前記非圧縮状態のデジタル音楽データとして記録することを特徴とする請求項１３に記載の音楽データ記録再生方法に存する。
また、本発明の請求項１８に係る発明の要旨は、前記内部記録手段に記録された非圧縮状態のデジタル音楽データを呼び出し、該呼び出された非圧縮状態のデジタル音楽データをアナログ信号に変換し、該変換されたアナログ信号をデジタル信号に再変換し、該再変換されたデジタル信号を所望の圧縮方式で圧縮し、該所望の圧縮方式で圧縮されたデジタル信号を前記内部記録手段に記録することを特徴とする請求項１３乃至請求項１７のいずれか一項に記載の音楽データ記録再生方法に存する。
また、本発明の請求項１９に係る発明の要旨は、前記内部記録手段に記録された非圧縮状態の前記デジタル音楽データを呼び出し、該呼び出されたデジタル音楽データをアナログ信号に変換し、該変換されたアナログ信号を音質調整部、音量調整部、信号調整部を通してスピーカから音声として出力することを特徴とする請求項１３乃至請求項１８のいずれか一項に記載の音楽データ記録再生方法に存する。
また、本発明の請求項２０に係る発明の要旨は、前記内部記録手段に圧縮して記録されたデジタル音楽データを外部オーディオ機器に転送することを特徴とする請求項１３乃至請求項１９のいずれか一項に記載の音楽データ記録再生方法に存する。
また、本発明の請求項２１に係る発明の要旨は、前記非圧縮状態で記録されたデジタル音楽データから前記圧縮したデジタル音楽データを作成するタイミングは、システムマイコンの処理負荷が軽くなった空き時間としたことを特徴とする請求項１３乃至請求項２０のいずれか一項に記載の音楽データ記録再生方法に存する。
また、本発明の請求項２２に係る発明の要旨は、前記非圧縮状態で記録されたデジタル音楽データから前記圧縮したデジタル音楽データを作成する開始タイミングは、タイマーで設定されることを特徴とする請求項２１に記載の音楽データ記録再生方法に存する。
また、本発明の請求項２３に係る発明の要旨は、前記デジタル音楽データが圧縮状態の音楽データである場合には、該圧縮状態の音楽データを伸長処理してから前記内部記録手段に記録することを特徴とする請求項１３乃至請求項２２のいずれか一項に記載の音楽データ記録再生方法に存する。
また、本発明の請求項２４に係る発明の要旨は、音楽データを記録、再生することのできる音楽データ記録再生装置の音楽データ記録再生方法において、音楽データ再生部から再生した信号を処理してＰＣＭ音楽データとして出力する工程と、前記ＰＣＭ音楽データを前記記録手段の非圧縮音楽データ記録領域に非圧縮状態で記録する工程と、前記非圧縮音楽データ記録領域に非圧縮状態で記録された前記ＰＣＭ音楽データを基に圧縮した音楽データを作成して前記圧縮音楽データ記録領域に記録する工程と、前記非圧縮音楽データ記録領域に記録された前記ＰＣＭ音楽データをアナログ信号に変換して音声として再生する工程と、前記圧縮音楽データ記録領域に圧縮して記録された音楽データを外部に転送する工程を備えたことを特徴とする音楽データ記録再生方法に存する。
【発明の効果】
【０００９】
本発明によれば、ＣＤ等の可搬性記録媒体からリッピングする際に、音量、音質の加工処理や圧縮処理を行う高速処理の必要がないので高性能なプロセッサを使用する必要がなくなる。
また、本発明によれば、非圧縮データが記録されると共に、該記録された非圧縮データを一旦アナログ変換した後に空き時間を利用して圧縮した圧縮データも記録されるので、非圧縮データにより元の高音質を容易に再現することができると共に、圧縮データを外部機器に高速に転送してＳＣＭＳに従った２次利用の仕方ができる。
【発明を実施するための最良の形態】
【００１０】
次に、本発明を実施するための最良の形態を、図面を参照して具体的に説明する。
（第１の実施の形態）
【００１１】
図１は本発明による音楽データ記録再生装置の第１実施の形態を示した図である。
１は本発明の音楽データ記録再生装置であり、ＣＤに記録された音楽データを再生及び記録することができ、また、記録された圧縮音楽データを外部オーディオ機器に転送することができる。また、２は音楽データ記録再生装置１から音楽データを転送して記録して再生することができる外部オーディオ機器であり、例えば携帯型のオーディオ機器である。
【００１２】
音楽データ記録再生装置１は、音楽データ記録再生装置１全体を制御するシステムマイコン３、内部記録装置であるハードディスク(ＨＤＤ)４、外部オーディオ機器２とのインターフェース部に設けられた外部機器接続インターフェース５、ＣＤに記録された音楽データを再生するＣＤプレーヤモジュール（音楽データ再生部）６、ＣＤプレーヤモジュール６からのデータを処理するＣＤ信号処理部７、ＣＤ信号処理部７からのディジタル信号をアナログ信号に変換するＤＡコンバータ８、ＤＡコンバータ８からのアナログ信号を入力し音質を調整する音質調整部９、音質調整部９からのアナログ信号を入力し音量を調整する音量調整部１０、音量調整部１０からのアナログ信号を入力し増幅する信号増幅部１１、信号増幅器１１からの信号により音声を再生する拡声器、ヘッドフォン、イヤフォンなどのスピーカ１２、ＤＡコンバータ８のアナログ信号をディジタル信号に変換するＡＤコンバータ１３、ユーザ操作部２４、表示部２５などで構成されている。
【００１３】
また、システムマイコン３は、ＨＤＤ４へのデータ記録及びＨＤＤ４からデータ読み出しを行うＨＤＤ信号処理手段１８、ＨＤＤ信号処理手段１８からの圧縮データを伸長する伸長手段１９、ＡＤコンバータ１３からのディジタル信号を圧縮してＨＤＤ信号処理手段１８に出力する圧縮手段２０などから構成されている。
【００１４】
また、ＨＤＤ４は、非圧縮音楽データを記録する非圧縮音楽データ記録領域Ａｏ、圧縮音楽データを記録する圧縮音楽データ記録領域Ａｃを有している。Ｆｏは非圧縮音楽データ記録領域Ａｏに記録された非圧縮音楽データファイル、Ｆｃは圧縮音楽データ記録領域Ａｃに記録された圧縮音楽データファイルを示している。非圧縮音楽データファイルＦｏ、圧縮音楽データファイルＦｃにはそれぞれ複数の楽曲が含まれていても良い。なお、図１には非圧縮音楽データ記録領域Ａｏ、圧縮音楽データ記録領域Ａｃには、非圧縮音楽データファイルＦｏ、圧縮音楽データファイルＦｃがそれぞれ１つしか図示されていないが、複数記録してもよいことは言うまでもない。
【００１５】
また、外部オーディオ機器２は、記録手段２１を有しており、音楽データ記録再生装置１から外部機器接続インターフェース５を通して転送されてきた圧縮音楽データファイルＦｃを圧縮音楽データファイルＦｃ’として記録する。記録手段２１は光、磁気記録再生装置（ＨＤＤ、ＭＤなど）、あるいは半導体メモリなどが使用される。外部オーディオ機器２は、音楽データ記録再生装置１以外からも音楽データを入力することができ、このデータが記録手段２１に音楽データファイルＦｐとして記録されている。
【００１６】
以下、図２乃至図６のフローチャートを参照しながら、第１実施の形態の音楽データ記録再生装置１の動作を説明する。
【００１７】
図２乃至図６の概略を説明すると、図２はＣＤプレーヤモジュール６で再生された音楽データをスピーカ１２で音声再生し、非圧縮音楽データとしてＨＤＤ４の非圧縮音楽データ記録領域Ａｏに記録させる動作を示している。
また、図３はＨＤＤ４の非圧縮音楽データ記録領域Ａｏに記録された非圧縮音楽データから圧縮音楽データを作成してＨＤＤ４の圧縮音楽データ記録領域Ａｃに記録する動作を示している。
また、図４はＨＤＤ４の圧縮音楽データ記録領域Ａｃに記録された圧縮音楽データの圧縮方式を、後からユーザの好みに応じて変更して記録し直す場合の動作を示している。
また、図５はＨＤＤ４の非圧縮音楽データ記録領域Ａｏに記録された音楽データから高音質な音楽を再生する場合の動作を示している。
また、図６はＨＤＤ４の圧縮音楽データ記録領域Ａｃに記録された圧縮音楽データを外部オーディオ機器の圧縮音楽データ記録領域２３に転送して記録するときの動作を示している。
【００１８】
まず、図２を参照して、ＣＤプレーヤモジュール６で再生された音楽データをスピーカ１２で音声再生すると共に非圧縮音楽データとしてＨＤＤ４の非圧縮音楽データ記録領域Ａｏに記録させる動作の詳細を説明する。
【００１９】
ステップＳ１において、ＣＤプレーヤモジュール６にＣＤをセットして再生を開始する。このときＳＣＭＳの世代管理がチェックされ、記録禁止の場合はその旨を使用者に表示するとともに、以後の記録は行わず再生のみ行う。ＣＤプレーヤモジュール６で再生して出力されたデジタル信号の音楽データはＣＤ信号処理部７に入力される。このときＣＤプレーヤモジュール６で再生して出力されたデジタル信号の音楽データはＣＤ特有のＣＤフォーマットになっているので、このＣＤフォーマットに従ったデータ構成から連続したＰＣＭ（Pulse
Code Modulation）信号にＣＤ信号処理部７で変換処理される。
【００２０】
ステップＳ２では、ＣＤからの音楽を聴かずに、ＨＤＤに記録するのみである場合には（Ｙｅｓの場合）ステップＳ３に進み、ＣＤ内に収録された楽曲のうち選択されたものを順次再生しＨＤＤ４に記録する。この場合、ＣＤ信号処理部７で処理されＰＣＭ信号とされたＣＤの音楽データはＨＤＤ信号処理手段１８に出力され、データを圧縮しない非圧縮音楽データファイルＦｏとしてＨＤＤ４の非圧縮音楽データ記録領域Ａｏに記録される。スピーカ１０からは音声出力しないで、また再生も高速化してＨＤＤの非圧縮音楽データ記録領域Ａｏに非圧縮音楽データとして記録する。この場合のＣＤプレーヤモジュール６からＨＤＤ４への記録は音声加工処理や圧縮処理を伴わないので高速に処理することができるのである。
【００２１】
ステップＳ２で、ＣＤプレーヤモジュール６からの音楽を聴きながらＨＤＤ４に音楽データを記録する場合（Ｎｏの場合）には、ステップＳ４に進む。なお、ステップＳ２における「ＨＤＤに記録のみか、否か」の判断は、予め表示部２５に表示されたメニューからユーザ操作部２４を操作して選択、設定することができるようになっている。あるいはメニュー操作に変えてこれに対応した操作ボタンを設けておき、ユーザが選択できるようにしても良い。
【００２２】
ステップＳ４では、このＣＤプレーヤモジュール６から再生された音楽をスピーカ１２から再生すると同時に、ＨＤＤ４の非圧縮音楽データ記録領域Ａｏに非圧縮音楽データファイルＦｏとして記録をする。すなわち、ＣＤプレーヤモジュール６で再生して出力されたデジタル信号の音楽データはＣＤ信号処理部７に入力され、ＣＤフォーマットに従ったデータ構成から連続したＰＣＭ信号にＣＤ信号処理部７で変換処理される。このＣＤ信号処理部７から出力されたＰＣＭ信号はＤＡコンバータ８によってデジタル信号からアナログ信号に変換される。そしてＤＡコンバータ８から出力されたアナログ信号は音質調整部９で音質が調整され、音量調整部１０で音量が調整され、信号増幅部１１で信号増幅され、スピーカ１２から音声として出力される。一方ＣＤ信号処理部７で処理されＰＣＭ信号とされたＣＤの音楽データはＨＤＤ信号処理手段１８に出力され、データを圧縮しない非圧縮音楽データファイルＦｏとしてＨＤＤ４の非圧縮音楽データ記録領域Ａｏに記録される。
【００２３】
ステップＳ５において、スピーカからの音声再生を中止する操作がなされたかを監視する。この操作は、本装置全体を制御するマイクロコントローラ（システムマイコン３）が、ユーザ操作部２４からの音声再生中止の入力信号を監視するものである。
【００２４】
ステップＳ５で音声再生を中止する操作がなされた場合（Ｙｅｓの場合）はステップＳ６に進む。ステップＳ６ではスピーカ１２からの再生を中止する。次にステップＳ７に進みＨＤＤ４への記録を継続するか否かをチェックする。ＨＤＤ４への記録を継続しない場合（Ｎｏの場合）は現在記録中の楽曲の、既記録データを消去してステップＳ１０に進む。また、ステップＳ７でＨＤＤ４への記録を継続する場合（Ｙｅｓの場合）はステップＳ９に進み、ＨＤＤ４への記録を継続する。
【００２５】
なお、ステップＳ７でＨＤＤ４への記録を継続するか否かをチェックする意味は、ユーザは必ずしも再生された音楽を最後まで聞かずに中止するとき、この楽曲を聴きたくないと共に記録もしたくない場合と、最初だけ聞いて後は聞かないで記録だけする場合があるためである。
【００２６】
ステップＳ７において、ＨＤＤ４への記録を継続するか否かをチェックするために、本装置全体を制御するマイクロコントローラ（システムマイコン３）は、ユーザ操作部２４からの入力信号を監視する。例えば、ＨＤＤ４への記録を継続しない場合には、ステップＳ５での音声再生を中止する操作を２度押しすることで、システムマイコン３はＨＤＤ４への記録を継続しないと判断するようにすれば良い。なお、この操作は、これに限らず、操作ボタンを別に設けるなど種々考えられる。
【００２７】
また、ステップＳ５において、音声再生を中止する操作がされていない場合（Ｎｏの場合）はステップＳ１２に進む。ステップＳ１２で、現在の楽曲の再生が終了したか否かがチェックされる。再生が終了していない場合（Ｎｏの場合）にはステップＳ４に戻り処理を継続する。
【００２８】
また、ステップＳ１２で、再生が終了している場合（Ｙｅｓの場合）にはステップＳ１０に進む。
【００２９】
ステップＳ１０において、次の再生すべき楽曲があるか否かがチェックされる。次の楽曲がある場合（Ｙｅｓの場合）にはステップＳ１１で次の楽曲の再生に移行する処理を行いステップＳ４に進み、処理を継続する。
【００３０】
ステップＳ１０において、次の再生すべき楽曲がない場合には本処理は終了（ＥＮＤ）する。
【００３１】
ステップＳ１０、ステップＳ１２での楽曲の再生状態の判断は、ＣＤのＴＯＣ（Table of content）データを読み取ることにより行うことができる。
【００３２】
次に、図３を参照して、ＨＤＤ４の非圧縮音楽データ記録領域Ａｏに記録された非圧縮音楽データから圧縮音楽データを作成してＨＤＤ４の圧縮音楽データ記録領域Ａｃに記録する動作の詳細を説明する。この動作はシステムマイコン３の処理負荷が軽くなった空き時間を利用して圧縮処理を行うようにしたもので、図３の例はステップＳ２１においてＣＤプレーヤモジュールの動作が停止したことで空き時間ができたと判断するようにしている。そして、ＣＤプレーヤモジュール６の動作が停止した状態において、タイマー動作により圧縮動作を開始したり、ユーザの判断により任意の時間に圧縮動作を開始したり、夜間などの所定時間帯を利用して圧縮動作を実行することができるようになっている。なお、ステップＳ２１においてＣＤプレーヤモジュールの動作停止を監視する代わりに、システムマイコン３の負荷率を計測して負荷率が小さくなったときに空き時間ができたと判断しても良い。
【００３３】
ステップＳ２１において、ＣＤプレーヤモジュール６の動作を監視し、動作停止が検知されないときはステップＳ２１においてＣＤプレーヤモジュール６の動作監視を継続する。
【００３４】
ステップＳ２１において、動作停止を検知したときはステップＳ２２に進む。ステップＳ２２において、圧縮処理開始が手動か自動化が判定される。手動か自動化はユーザーが前もって設定しておくものとする。ステップＳ２２で自動と判定された場合はステップＳ３１に進む。手動と判定された場合はステップＳ２３に進む。
【００３５】
ステップＳ３１において、ＣＤプレーヤモジュール６の動作停止から圧縮処理開始までのタイマー設定がなされているかチェックする。タイマー設定がなされていない場合（Ｎｏの場合）にはステップＳ３３に進む。ステップＳ２３ではユーザにより手動で圧縮処理開始指令の操作がなされたか否かが監視され、圧縮処理開始指令を検知しない場合（Ｎｏの場合）には継続して圧縮処理開始指令の操作を監視する。
【００３６】
ステップＳ２３において圧縮処理開始指令を検知した場合（Ｙｅｓの場合）にはステップＳ２４に進み、圧縮方式を選択するか否かを判断する。圧縮方式を選択する場合（Ｙｅｓの場合）にはステップＳ２５に進み、圧縮方式を選択して設定する。
【００３７】
次に、ステップＳ２６に進み、ＨＤＤ信号処理手段１８は、ＨＤＤ４の非圧縮音楽データ記録領域Ａｏから非圧縮音楽データファイルＦｏを読み出しＤＡコンバータ８に出力する。ステップＳ２７において、ＤＡコンバータ８は、非圧縮音楽データをデジタル信号からアナログ信号に変換する。次にステップＳ２８に進み、ＡＤコンバータ１３は、ＤＡコンバータ８でアナログ信号に変換された非圧縮音楽データをアナログ信号からデジタル信号に変換する。
【００３８】
次に、ステップＳ２９に進み、圧縮手段２０はＡＤコンバータ１３でデジタル信号に変換された非圧縮音楽データを設定された圧縮方式で圧縮する。次に、ステップＳ３０において、ＨＤＤ信号処理手段１８はＨＤＤ４の圧縮音楽データ記録領域Ａｃに圧縮音楽データファイルＦｃとして記録する。
【００３９】
圧縮手段２０には各種圧縮方式、例えばＭＰ３（MPEG Audio Layer-3）、ＷＭＡ（Windows（登録商標） Media Audio）、ＡＡＣ（Advanced
Audio Coding）、Ｏｇｇ Ｖｏｒｂｉｓなどのプログラムが記憶されており、設定された圧縮方式に応じて対応するプログラムが呼び出されて圧縮処理を実行するようになっている。また、圧縮方式は、本処理の前にステップＳ２５におけるメニュー操作で設定するか、又はステップＳ３３においてデフォルトで設定されるようになっている。あるいはメニュー操作に変えてこれに対応した操作ボタンを設けておき、ユーザが選択できるようにしても良い。
【００４０】
ステップＳ３１において、タイマー設定がなされている場合（Ｙｅｓの場合）にはステップＳ３２に進む。ステップＳ３２においてタイマーがカウントアップしたか否かが監視される。このタイマーの設定値はＣＤプレーヤモジュールの動作が停止してからの時間として設定され、ユーザの判断により任意の値に設定することができるようになっている。このタイマーはシステムマイコン３がソフト的に実行することのできるソフトタイマーとなっている。
【００４１】
ステップＳ３２においてタイマーがカウントアップした場合にはステップＳ３３に進み、前もって決めておいた圧縮方式がデフォルトで設定される。なお、このデフォルトで設定される圧縮方式はユーザによって変更できるようにしておくことが望ましい。
【００４２】
次にステップＳ２６に進み、上記ステップＳ２６以下の処理を実行する。
【００４３】
ステップＳ２４において、圧縮方式を選択しない場合（Ｎｏの場合）にはステップＳ３３に進み、前もって決めておいた圧縮方式がデフォルトで設定される。次にステップＳ２６に進み、上記ステップＳ２６以下の処理を実行する。
【００４４】
また、ステップＳ３４は圧縮処理時間帯の時刻到来による割り込み発生処理である。ユーザが夜間などのＣＤプレーヤモジュール６を使用する可能性の低い時間帯を圧縮処理のための時間帯として設定しておき、この時間帯の時刻が到来したときに割り込み信号を発生させ、ステップＳ３３以下の処理を実行させるようにしたものである。この圧縮処理時間帯の時刻到来による割り込み発生処理（ステップＳ３４、Ｓ３３、Ｓ２６・・・Ｓ３０）は、タイマー設定による圧縮処理（ステップＳ３１、Ｓ３２・・・）やユーザが任意のタイミングで行う圧縮処理（ステップＳ２３、Ｓ２４・・・）とは無関係に単独で実行させることもできる。
【００４５】
次に、図４を参照して、ＨＤＤ４の圧縮音楽データ記録領域Ａｃに記録された圧縮音楽データの圧縮方式を、後からユーザの好みに応じて変更して記録し直す場合の動作を説明する。
【００４６】
ステップＳ４０において、圧縮開始指令を検知すると、ステップＳ４１に進み圧縮方式を選択する。すなわち、ステップＳ４０において圧縮開始指令を検知すると圧縮方式を選択するメニューが表示部２５に表示され、ユーザはこのメニューからユーザ操作部２４を操作して所望の圧縮方式を選択する。
【００４７】
次に、ステップＳ４２において、ＨＤＤ信号処理手段１８は、ＨＤＤ４の非圧縮音楽データ記録領域Ａｏより非圧縮音楽データファイルＦｏを読み出しＤＡコンバータ８に出力する。ステップＳ４３において、ＤＡコンバータ８は、非圧縮音楽データをデジタル信号からアナログ信号に変換する。次にステップＳ４４に進み、ＡＤコンバータ１３は、ＤＡコンバータ８でアナログ信号に変換された非圧縮音楽データをアナログ信号からデジタル信号に変換する。
【００４８】
次に、ステップＳ４５に進み、圧縮手段２０はＡＤコンバータ１３でデジタル信号に変換された非圧縮音楽データをステップＳ４１で設定された圧縮方式で圧縮し、ＨＤＤ信号処理手段１８はＨＤＤ４の圧縮音楽データ記録領域Ａｃに圧縮音楽データファイルＦｃとして記録する。このとき、以前の圧縮方式で圧縮されて記録されていた古い圧縮音楽データファイルＦｃは削除され、新しい圧縮方式で記録されたファイルが残る。
【００４９】
このように、本実施の形態によれば、ＣＤからの非圧縮音楽データがＨＤＤ４の非圧縮音楽データ記録領域Ａｏに記録されているので、一度圧縮方式を決めて記録した圧縮音楽データファイルＦｃを、後から任意の圧縮方式に変更して記録し直すことができるという効果があり、その場合に非圧縮ファイルから圧縮ファイルを作成するので音質の劣化を防ぐことができる。
【００５０】
次に、図５を参照して、ＨＤＤ４の非圧縮音楽データ記録領域Ａｏに記録された音楽データから高音質な音楽を再生する場合の動作を説明する。
【００５１】
ステップＳ５０において、ユーザがユーザ操作部２４を操作してＨＤＤ４に記録された音楽データの再生指令をすると、システムマイコン３はこの指令を受け取り、ＨＤＤ信号処理手段１８はＨＤＤの非圧縮音楽データ記録領域Ａｏより非圧縮音楽データファイルＦｏを読み出し、ＤＡコンバータ８に出力する。ステップＳ５２においてＤＡコンバータ８はＨＤＤ信号処理手段１８からのデジタル信号をアナログ信号に変換する。ＤＡコンバータ８でアナログ信号に変換された音楽データはステップＳ５３において音質、音量が調整され、信号増幅されてスピーカ１２から音声として出力される。ここで、音質調整は音質調整部９で行われ、音量調整は音量調整部１０で行われ、信号増幅は信号増幅部１１で行われる。
【００５２】
本実施の形態によれば、このときの音楽再生はＨＤＤの非圧縮音楽データ記録領域Ａｏより非圧縮音楽データを使って再生するので、高音質の音楽を視聴することができる効果がある。
【００５３】
次に、図６を参照して、ＨＤＤ４の圧縮音楽データ記録領域Ａｃに記録された圧縮音楽データを外部オーディオ機器の記録手段２１に転送して記録するときの動作を説明する。
【００５４】
ステップＳ６０において外部オーディオ機器２が音楽データ記録再生装置１に接続され、ステップＳ６１において、ユーザ操作部からの外部オーディオ機器２への音楽データ転送指令が入力されると、ＨＤＤ信号処理手段１８はＨＤＤ４の圧縮音楽データ記録領域Ａｃに記録された圧縮音楽データファイルＦｃを呼び出し、外部機器接続インターフェース５を介して外部オーディオ機器２へ出力する。外部オーディオ機器２は、外部機器接続インターフェース５を介して入力された圧縮音楽データを記録手段２１に圧縮音楽データファイルＦｃ’として記録する。したがって、この圧縮音楽データファイルＦｃ’は圧縮音楽データファイルＦｃを転送してコピーされたものとなり、外部オーディオ機器２を切り離して、外部オーディオ機器２単独で屋外などに携帯して、音楽データ記録再生装置１に記録されたものと同じ音楽を楽しむことができる。
【００５５】
本実施の形態によれば、このときの圧縮音楽データファイルＦｃ’として記録された音楽データは元のＣＤに記録された音楽データを一旦アナログの音楽データに変換した後圧縮しているので、ＳＣＭＳに従った音楽データの２次利用の仕方ができる効果がある。また、圧縮された圧縮音楽データなので高速に転送でき、短時間に転送を完了させることができる効果がある。なお外部オーディオ機器２内に記録したファイルＦｃ’はデジタルファイルのまま読み出すことはできない構造にしておき、デジタル信号の２回目のコピーを許さないというＳＣＭＳの条件を満たすようにしておく。
【００５６】
なお、本実施の形態における音楽データ記録再生装置１は非圧縮音楽データ記録領域Ａｏに記録した音楽データをスピーカ１２で再生することにより元の高音質を容易に再現することができるが、圧縮音楽データ記録領域Ａｃに記録した音楽データを伸長手段１９で伸長してスピーカ１２で再生することもできる。但しこの場合には元の高音質を再現することはできない。
【００５７】
（第２の実施の形態）
次に、図７に本発明の第２の実施形態である音楽データ記録再生装置３１の構成図を示す。
【００５８】
図７の構成図は、第１の実施形態の第１図に示した構成図に対し、音楽データを再生できるモジュール（音楽データ再生部）を複数備えている点が異なっている。すなわち、第１の実施の形態では、音楽データを再生できるモジュールがＣＤプレイヤーモジュール６のみであったが、本実施の形態では、ＭＤプレイヤーモジュール３２、ＡＭ／ＦＭチューナーモジュール３３、外部アナログ信号入力部３４、及びこれらからのアナログ信号をデジタル信号に変換するＡＤコンバータ３５を備えている。また、外部デジタル信号入力部３６を備えており、インターネットや各種外部デジタル機器からデジタル信号を取り込むことができるようになっている。ただしデジタル信号を記録するさいはＳＣＭＳに従うものとする。
【００５９】
ＭＤプレイヤーモジュール３２、ＡＭ／ＦＭチューナーモジュール、外部アナログ信号入力部３４からのアナログの音楽データはＡＤコンバータ３５でデジタルの音楽データに変換される。ＨＤＤ信号処理手段１８は、ＡＤコンバータ３５からの音楽データをＨＤＤ４の非圧縮音楽データ記録領域Ａｏに記録する。また、外部デジタル信号入力部３６からの音楽データをＨＤＤ４の非圧縮音楽データ記録領域Ａｏに記録する。このＨＤＤ４の非圧縮音楽データ記録領域Ａｏに記録された音楽データは、第１の実施の形態における、ＣＤプレーヤモジュール６からＨＤＤ４の非圧縮音楽データ記録領域Ａｏに記録した音楽データと同じに取り扱われる。したがってその他の説明は第１の実施の形態と同様なので詳細な説明は省略する。
【００６０】
（その他の実施の形態）
上記実施の形態では、内部の音楽データ記録手段としてＨＤＤ４を例に説明したが、半導体メモリや光／磁気記録手段など、読み書きができる記録手段をＨＤＤ４に代えて使用することができる。
【００６１】
また、上記ＤＡコンバータ８は、ＣＤ信号処理部７から入力されるデジタル信号、ＨＤＤ信号処理手段１８から入力されるデジタル信号、伸長手段１９から入力されるデジタル信号に対して共通のＤＡコンバータとなっているが、これらを個別のＤＡコンバータとしても良い。
【００６２】
また、ＨＤＤ信号処理手段１８は、ＣＤ信号処理部７、ＤＡコンバータ８、伸長手段１９、圧縮手段２０、ＡＤコンバータ３５、外部デジタル信号入力部３６のそれぞれとＨＤＤ４間の処理を行う手段である。上記実施の形態では、このＨＤＤ信号処理手段１８として纏めて１つの手段としているが、これらはシステムマイコン３により実行される処理手段であり、仮想的にそれぞれ個別の処理手段に分解して考えることもできる。
【００６３】
また、ＣＤプレーヤモジュールからの再生信号は非圧縮状態の音楽データとして説明したが、記録媒体がＣＤであるＣＤプレーヤモジュールの代わりに、圧縮された音楽データが記録されたＭＤを記録媒体としたＭＤプレーヤモジュールなどとすることもできる。この場合、ＭＤに記録された圧縮された音楽データは、一旦、伸長手段で非圧縮状態の音楽データとしてから非圧縮音楽データ記録領域Ａｏに記録し、上記実施の形態と同様に実施することができる。圧縮された音楽データが記録されているプレーヤとしてはＭＤプレーヤモジュールの他に半導体メモリに記録される音楽プレーヤなども考えられる。
【００６４】
以上、説明したように、本実施の形態によれば、ＣＤプレーヤモジュール６からの音楽データは、非圧縮音楽データとしてＨＤＤ４の非圧縮音楽データ記録領域Ａｏに非圧縮音楽データファイルＦｏとして記録されると共に、非圧縮音楽データファイルＦｏに対応した圧縮音楽データファイルＦｃが空き時間を利用して圧縮音楽データ記録領域Ａｃに記録される。
この場合、一度圧縮音楽データファイルＦｃを記録しても、非圧縮音楽データファイルＦｏから再度圧縮音楽データファイルＦｃを記録し直すことができ、したがって、記録し直すときに、圧縮方式を任意に変えることができる。
また、非圧縮音楽データファイルＦｏが記録されているので、この非圧縮音楽データファイルＦｏから音楽を再生することにより、高音質の音楽を視聴することができる。
また、圧縮音楽データファイルＦｃが記録されているので、外部オーディオ機器に高速に転送することができる。
【００６５】
以上、本発明を、具体的な実施の形態により説明したが、本発明は上記実施の形態には限定
されない。本発明の要旨を変更しない範囲で適宜実施の形態を変更して実施できる。
【産業上の利用可能性】
【００６６】
本発明は、ＣＤ、ＭＤ、ＤＶＤ、ＡＭ／ＦＭラジオ、テレビなどの音楽データを記録／再生する音楽データ記録再生装置に広く利用できる。
【図面の簡単な説明】
【００６７】
【図１】本発明による音楽データ記録再生装置の第１実施の形態を示した図である。
【図２】本発明による音楽データ記録再生装置の動作フローチャートである（ＣＤプレーヤモジュール６で再生された音楽データをスピーカ１２で音声再生すると共に非圧縮音楽データとしてＨＤＤ４の非圧縮音楽データ記録領域Ａｏに記録させる動作を示している）。
【図３】本発明による音楽データ記録再生装置の動作フローチャートである（ＨＤＤ４の非圧縮音楽データ記録領域Ａｏに記録された非圧縮音楽データから圧縮音楽データを作成してＨＤＤ４の圧縮音楽データ記録領域Ａｃに記録する動作を示している）。
【図４】本発明による音楽データ記録再生装置の動作フローチャートである（ＨＤＤ４の圧縮音楽データ記録領域Ａｃに記録された圧縮音楽データの圧縮方式を、後からユーザの好みに応じて変更して記録し直す場合の動作を示している）。
【図５】本発明による音楽データ記録再生装置の動作フローチャートである（ＨＤＤ４の非圧縮音楽データ記録領域Ａｏに記録された音楽データから高音質な音楽を再生する場合の動作を示している）。
【図６】本発明による音楽データ記録再生装置の動作フローチャートである（ＨＤＤ４の圧縮音楽データ記録領域Ａｃに記録された圧縮音楽データを外部オーディオ機器の圧縮音楽データ記録領域２３に転送して記録するときの動作を示している）。
【図７】本発明による音楽データ記録再生装置の第２実施の形態を示した図である。
【符号の説明】
【００６８】
１、３１・・・音楽データ記録再生装置
２・・・外部オーディオ機器
３・・・システムマイコン
４・・・ＨＤＤ(記録手段）
５・・・外部機器接続インターフェース
６・・・ＣＤプレーヤモジュール
７・・・ＣＤ信号処理部
８・・・ＤＡコンバータ
９・・・音質調整部
１０・・・音量調整部
１１・・・信号増幅部
１２・・・スピーカ
１３、３５・・・ＡＤコンバータ
１８・・・ＨＤＤ信号処理手段
１９・・・伸長手段
２０・・・圧縮手段
２１・・・記録手段
２４・・・ユーザ操作部
２５・・・表示部
３２・・・ＭＤプレイヤーモジュール
３３・・・ＡＭ／ＦＭチューナーモジュール
３４・・・外部アナログ信号入力部
３６・・・外部デジタル信号入力部
Ａｏ・・・非圧縮音楽データ記録領域
Ａｃ・・・圧縮音楽データ記録領域
Ｆｏ・・・非圧縮音楽データファイル
Ｆｃ・・・圧縮音楽データファイル
Ｆｃ’・・・圧縮音楽データファイル
Ｆｐ・・・音楽データファイル
【図１】
2007133955.tif 000003
【図２】
2007133955.tif 000004
【図３】
2007133955.tif 000005
【図４】
2007133955.tif 000006
【図５】
2007133955.tif 000007
【図６】
2007133955.tif 000008
【図７】
2007133955.tif 000009